(57)【特許請求の範囲】
【請求項１】
無線通信システムにおける複数のレイヤ（ｌａｙｅｒ）を複数のアンテナポート（ａｎｔｅｎｎａ  ｐｏｒｔ）に割り当てる方法において、
複数のレイヤを複数のアンテナポートに各々マッピングし、
前記複数のレイヤの復調参照信号（ＤＭＲＳ；Ｄｅｍｏｄｕｌａｔｉｏｎ  Ｒｅｆｅｒｅｎｃｅ  Ｓｉｇｎａｌ）を無線リソースのうち第１のＣＤＭ（Ｃｏｄｅ  Ｄｉｖｉｓｉｏｎ  Ｍｕｌｔｉｐｌｅｘｉｎｇ）集合または第２のＣＤＭ集合にマッピングして前記複数のアンテナポートを介して送信することを含み、
前記複数のレイヤのＤＭＲＳのうち、第１のリソースブロック（ＲＢ；Ｒｅｓｏｕｒｃｅ  Ｂｌｏｃｋ）で第１のＣＤＭ集合にマッピングされたＤＭＲＳは、前記第１のＲＢと異なる第２のＲＢで第２のＣＤＭ集合にマッピングされ、
前記複数のレイヤのＤＭＲＳのうち、第１のＲＢで第２のＣＤＭ集合にマッピングされたＤＭＲＳは、第２のＲＢで第１のＣＤＭ集合にマッピングされることを特徴とする方法。
【請求項２】
前記複数のレイヤの個数は、奇数個であることを特徴とする請求項１に記載の方法。
【請求項３】
前記複数のレイヤの個数に関係無しに前記複数のレイヤのＤＭＲＳは、予め決められたＣＤＭ集合にマッピングされることを特徴とする請求項１に記載の方法。
【請求項４】
前記複数のレイヤの個数に関係無しに前記第１のＣＤＭ集合または前記第２のＣＤＭ集合は、前記複数のアンテナポートのうち予め決められた特定アンテナポートとマッピングされることを特徴とする請求項１に記載の方法。
【請求項５】
前記第１のＣＤＭ集合がマッピングされるアンテナポートと前記第２のＣＤＭ集合がマッピングされるアンテナポートは、相互排他的（ｍｕｔｕａｌｌｙ  ｅｘｃｌｕｓｉｖｅ）であることを特徴とする請求項４に記載の方法。
【請求項６】
前記第１のＣＤＭ集合は、各スロットの６番目及び７番目のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの１、６、１１番目の副搬送波に割り当てられるリソース要素（ＲＥ；Ｒｅｓｏｕｒｃｅ  Ｅｌｅｍｅｎｔ）を占め、前記第２のＣＤＭ集合は、各スロットの６番目及び７番目のＯＦＤＭシンボルの２、７、１２番目の副搬送波に割り当てられるＲＥを占めることを特徴とする請求項１に記載の方法。
【請求項７】
前記第１のＣＤＭ集合または第２のＣＤＭ集合で最大４個のレイヤが直交コードに基づいてＣＤＭ方式に多重化されることを特徴とする請求項１に記載の方法。
【請求項８】
前記直交コードの長さは、４であることを特徴とする請求項７に記載の方法。
【請求項９】
前記複数のレイヤのＤＭＲＳは、同じパワー（ｐｏｗｅｒ）で送信されることを特徴とする請求項１に記載の方法。
【請求項１０】
無線通信システムにおいて、
複数のレイヤの復調参照信号（ＤＭＲＳ；Ｄｅｍｏｄｕｌａｔｉｏｎ  Ｒｅｆｅｒｅｎｃｅ  Ｓｉｇｎａｌ）を複数のアンテナポートを介して送信するＲＦ（Ｒａｄｉｏ  Ｆｒｅｑｕｅｎｃｙ）部；及び、
前記ＲＦ部と連結されるプロセッサ；を含み、
前記プロセッサは、
前記複数のレイヤを前記複数のアンテナポートに各々マッピングし、
前記複数のレイヤのＤＭＲＳを無線リソースのうち第１のＣＤＭ（Ｃｏｄｅ  Ｄｉｖｉｓｉｏｎ  Ｍｕｌｔｉｐｌｅｘｉｎｇ）集合または第２のＣＤＭ集合にマッピングするように構成され、
前記複数のレイヤのＤＭＲＳのうち、第１のリソースブロック（ＲＢ；Ｒｅｓｏｕｒｃｅ  Ｂｌｏｃｋ）で第１のＣＤＭ集合にマッピングされたＤＭＲＳは、前記第１のＲＢと異なる第２のＲＢで第２のＣＤＭ集合にマッピングされ、
前記複数のレイヤのＤＭＲＳのうち、第１のＲＢで第２のＣＤＭ集合にマッピングされたＤＭＲＳは、第２のＲＢで第１のＣＤＭ集合にマッピングされることを特徴とする装置。
【請求項１１】
前記複数のレイヤの個数は、奇数個であることを特徴とする請求項１０に記載の装置。
【請求項１２】
前記複数のレイヤの個数に関係無しに前記複数のレイヤのＤＭＲＳは、予め決められたＣＤＭ集合にマッピングされることを特徴とする請求項１０に記載の装置。
【請求項１３】
前記複数のレイヤの個数に関係無しに前記第１のＣＤＭ集合または前記第２のＣＤＭ集合は、前記複数のアンテナポートのうち予め決められた特定アンテナポートとマッピングされることを特徴とする請求項１０に記載の装置。
【発明の詳細な説明】
【技術分野】
【０００１】
本発明は、無線通信に関し、より詳しくは、無線通信システムにおける複数のレイヤを複数のアンテナポートにマッピングする方法及び装置に関する。
【背景技術】
【０００２】
無線通信システムでは、データの送／受信、システム同期獲得、チャネル情報フィードバックなどのためにアップリンクチャネルまたはダウンリンクチャネルを推定する必要がある。無線通信システム環境では、多重経路時間遅延のためフェーディングが発生するようになる。フェーディングによる急激な環境変化により発生する信号の歪曲を補償して送信信号を復元する過程をチャネル推定という。また、端末が属するセル或いは他のセルに対するチャネル状態（ｃｈａｎｎｅｌ  ｓｔａｔｅ）を測定する必要がある。チャネル推定またはチャネル状態測定のために、一般的に送受信機が相互間に知っている参照信号（ＲＳ；Ｒｅｆｅｒｅｎｃｅ  Ｓｉｇｎａｌ）を用いてチャネル推定を実行するようになる。
【０００３】
参照信号送信に使われる副搬送波を参照信号副搬送波といい、データ送信に使われるリソース要素をデータ副搬送波という。ＯＦＤＭシステムにおいて、参照信号は、全ての副搬送波に割り当てる方式とデータ副搬送波間に割り当てる方式とがある。参照信号を全ての副搬送波に割り当てる方式は、チャネル推定性能の利得を得るために、プリアンブル信号のように参照信号のみからなる信号を用いる。これを使用する場合、一般的に参照信号の密度が高いため、データ副搬送波間に参照信号を割り当てる方式に比べてチャネル推定性能が改善されることができる。然しながら、データの送信量が減少されるため、データの送信量を増大させるためには、データ副搬送波間に参照信号を割り当てる方式を使用するようになる。このような方法を使用する場合、参照信号の密度が減少するため、チャネル推定性能の劣化が発生するようになり、これを最小化することができる適切な配置が要求される。
【０００４】
受信機は、参照信号の情報を知っているため、受信された信号でこれを分けてチャネルを推定することができ、推定されたチャネル値を補償して送信端で送ったデータを正確に推定することができる。送信機で送る参照信号をｐ、参照信号が送信中に経るようになるチャネル情報をｈ、受信機で発生する熱雑音をｎ、受信機で受信された信号をｙとすると、ｙ＝ｈ・ｐ＋ｎのように示すことができる。この時、参照信号ｐは、受信機が既に知っているため、ＬＳ（Ｌｅａｓｔ  Ｓｑｕａｒｅ）方式を用いる場合、数式１のようにチャネル情報
【０００５】
【化１】
0005417536.tif 000002
を推定することができる。
【０００６】
【数１】
0005417536.tif 000003
この時、参照信号ｐを用いて推定したチャネル推定値
【０００７】
【化２】
0005417536.tif 000004
は、
【０００８】
【化３】
0005417536.tif 000005
値に応じてその正確度が決定されるようになる。従って、正確なｈ値の推定のためには、
【０００９】
【化４】
0005417536.tif 000006
が０に収束しなければならず、このためには多くの個数の参照信号を用いてチャネルを推定することで
【００１０】
【化５】
0005417536.tif 000007
の影響を最小化しなければならない。優秀なチャネル推定性能のための多様なアルゴリズムが存在することができる。
【００１１】
ダウンリンク参照信号は、セル特定参照信号（ＣＲＳ；ｃｅｌｌ−ｓｐｅｃｉｆｉｃ  ＲＳ）、ＭＢＳＦＮ参照信号、端末特定参照信号（ＵＥ−ｓｐｅｃｉｆｉｃ  ＲＳ）ポジショニング参照信号（ＰＲＳ；Ｐｏｓｉｔｉｏｎｉｎｇ  ＲＳ）、及びＣＳＩ（Ｃｈａｎｎｅｌ  Ｓｔａｔｅ  Ｉｎｆｏｒｍａｔｉｏｎ）参照信号（ＣＳＩ−ＲＳ）を含むことができる。端末特定参照信号は、セル内の特定端末または特定端末グループが受信する参照信号であり、特定端末または特定端末グループのデータ復調（ｄｅｍｏｄｕｌａｔｉｏｎ）に主に使われるため、ＤＭＲＳ（Ｄｅｍｏｄｕｌａｔｉｏｎ  ＲＳ）と呼ばれることができる。
【００１２】
一方、複数のレイヤ（ｌａｙｅｒ）に対するＤＭＲＳが送信されることができる。複数のレイヤに対するＤＭＲＳは、リソースブロック（ＲＢ；Ｒｅｓｏｕｒｃｅ  Ｂｌｏｃｋ）内のリソース要素（ＲＥ；Ｒｅｓｏｕｒｃｅ  Ｅｌｅｍｅｎｔ）にマッピングされ、リソース要素にマッピングされたＤＭＲＳは、複数のアンテナポートを介して送信されることができる。３ＧＰＰ（３ｒｄ  ｇｅｎｅｒａｔｉｏｎ  Ｐａｒｔｎｅｒｓｈｉｐ  Ｐｒｏｊｅｃｔ）ＬＴＥ−Ａ（Ｌｏｎｇ  Ｔｅｒｍ  Ｅｖｏｌｕｔｉｏｎ  Ａｄｖａｎｃｅｄ）では最大８個のレイヤをサポートし、これによって複数のレイヤと複数のアンテナポートが多様な方法でマッピングされることができる。
【００１３】
効果的なＤＭＲＳの送信のためのレイヤ−アンテナポートマッピング方法が要求される。
【発明の概要】
【発明が解決しようとする課題】
【００１４】
本発明の技術的課題は、無線通信システムにおける複数のレイヤを複数のアンテナポートにマッピングする方法及び装置を提供することである。
【課題を解決するための手段】
【００１５】
一態様において、無線通信システムにおける複数のレイヤ（ｌａｙｅｒ）を複数のアンテナポート（ａｎｔｅｎｎａ  ｐｏｒｔ）に割り当てる方法が提供される。前記方法は、複数のレイヤを複数のアンテナポートに各々マッピングし、前記複数のレイヤの復調参照信号（ＤＭＲＳ；Ｄｅｍｏｄｕｌａｔｉｏｎ  Ｒｅｆｅｒｅｎｃｅ  Ｓｉｇｎａｌ）を第１のＣＤＭ（Ｃｏｄｅ  Ｄｉｖｉｓｉｏｎ  Ｍｕｌｔｉｐｌｅｘｉｎｇ）集合または第２のＣＤＭ集合にマッピングして前記複数のアンテナポートを介して送信することを含む。
【００１６】
前記複数のレイヤのＤＭＲＳのうち、第１のリソースブロック（ＲＢ；Ｒｅｓｏｕｒｃｅ  Ｂｌｏｃｋ）で第１のＣＤＭ集合にマッピングされたＤＭＲＳは、前記第１のＲＢと異なる第２のＲＢで第２のＣＤＭ集合にマッピングされ、前記複数のレイヤのＤＭＲＳのうち、第１のＲＢで第２のＣＤＭ集合にマッピングされたＤＭＲＳは、第２のＲＢで第１のＣＤＭ集合にマッピングされる。
【００１７】
前記複数のレイヤの個数は、奇数個である。
【００１８】
前記複数のレイヤの個数に関係無しに前記複数のレイヤのＤＭＲＳは、予め決められたＣＤＭ集合にマッピングされる。
【００１９】
前記複数のレイヤの個数に関係無しに前記第１のＣＤＭ集合または前記第２のＣＤＭ集合は、前記複数のアンテナポートのうち予め決められた特定アンテナポートとマッピングされる。
【００２０】
前記第１のＣＤＭ集合がマッピングされるアンテナポートと前記第２のＣＤＭ集合がマッピングされるアンテナポートは、相互排他的（ｍｕｔｕａｌｌｙ  ｅｘｃｌｕｓｉｖｅ）である。
【００２１】
前記第１のＣＤＭ集合は、各スロットの６番目及び７番目のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの１、６、１１番目の副搬送波に割り当てられるリソース要素（ＲＥ；Ｒｅｓｏｕｒｃｅ  Ｅｌｅｍｅｎｔ）を占め、前記第２のＣＤＭ集合は、各スロットの６番目及び７番目のＯＦＤＭシンボルの２、７、１２番目の副搬送波に割り当てられるＲＥを占める。
【００２２】
前記第１のＣＤＭ集合または第２のＣＤＭ集合で最大４個のレイヤが直交コードに基づいてＣＤＭ方式に多重化される。
【００２３】
前記直交コードの長さは、４である。
【００２４】
前記複数のレイヤのＤＭＲＳは、同じパワー（ｐｏｗｅｒ）で送信される。
【００２５】
他の態様において、無線通信システムにおける装置が提供される。前記装置は、複数のレイヤのＤＭＲＳを複数のアンテナポートを介して送信するＲＦ（Ｒａｄｉｏ  Ｆｒｅｑｕｅｎｃｙ）部、及び前記ＲＦ部と連結されるプロセッサを含み、前記プロセッサは、前記複数のレイヤを前記複数のアンテナポートに各々マッピングし、前記複数のレイヤのＤＭＲＳを第１のＣＤＭ集合または第２のＣＤＭ集合にマッピングするように構成される。
本発明は、例えば以下の項目を提供する。
（項目１）
無線通信システムにおける複数のレイヤ（ｌａｙｅｒ）を複数のアンテナポート（ａｎｔｅｎｎａ  ｐｏｒｔ）に割り当てる方法において、
複数のレイヤを複数のアンテナポートに各々マッピングし、
前記複数のレイヤの復調参照信号（ＤＭＲＳ；Ｄｅｍｏｄｕｌａｔｉｏｎ  Ｒｅｆｅｒｅｎｃｅ  Ｓｉｇｎａｌ）を第１のＣＤＭ（Ｃｏｄｅ  Ｄｉｖｉｓｉｏｎ  Ｍｕｌｔｉｐｌｅｘｉｎｇ）集合または第２のＣＤＭ集合にマッピングして前記複数のアンテナポートを介して送信することを含む方法。
（項目２）
前記複数のレイヤのＤＭＲＳのうち、第１のリソースブロック（ＲＢ；Ｒｅｓｏｕｒｃｅ  Ｂｌｏｃｋ）で第１のＣＤＭ集合にマッピングされたＤＭＲＳは、前記第１のＲＢと異なる第２のＲＢで第２のＣＤＭ集合にマッピングされ、前記複数のレイヤのＤＭＲＳのうち、第１のＲＢで第２のＣＤＭ集合にマッピングされたＤＭＲＳは、第２のＲＢで第１のＣＤＭ集合にマッピングされることを特徴とする項目１に記載の方法。
（項目３）
前記複数のレイヤの個数は、奇数個であることを特徴とする項目２に記載の方法。
（項目４）
前記複数のレイヤの個数に関係無しに前記複数のレイヤのＤＭＲＳは、予め決められたＣＤＭ集合にマッピングされることを特徴とする項目１に記載の方法。
（項目５）
前記複数のレイヤの個数に関係無しに前記第１のＣＤＭ集合または前記第２のＣＤＭ集合は、前記複数のアンテナポートのうち予め決められた特定アンテナポートとマッピングされることを特徴とする項目１に記載の方法。
（項目６）
前記第１のＣＤＭ集合がマッピングされるアンテナポートと前記第２のＣＤＭ集合がマッピングされるアンテナポートは、相互排他的（ｍｕｔｕａｌｌｙ  ｅｘｃｌｕｓｉｖｅ）であることを特徴とする項目５に記載の方法。
（項目７）
前記第１のＣＤＭ集合は、各スロットの６番目及び７番目のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの１、６、１１番目の副搬送波に割り当てられるリソース要素（ＲＥ；Ｒｅｓｏｕｒｃｅ  Ｅｌｅｍｅｎｔ）を占め、前記第２のＣＤＭ集合は、各スロットの６番目及び７番目のＯＦＤＭシンボルの２、７、１２番目の副搬送波に割り当てられるＲＥを占めることを特徴とする項目１に記載の方法。
（項目８）
前記第１のＣＤＭ集合または第２のＣＤＭ集合で最大４個のレイヤが直交コードに基づいてＣＤＭ方式に多重化されることを特徴とする項目１に記載の方法。
（項目９）
前記直交コードの長さは、４であることを特徴とする項目８に記載の方法。
（項目１０）
前記複数のレイヤのＤＭＲＳは、同じパワー（ｐｏｗｅｒ）で送信されることを特徴とする項目１に記載の方法。
（項目１１）
無線通信システムにおいて、
複数のレイヤの復調参照信号（ＤＭＲＳ；Ｄｅｍｏｄｕｌａｔｉｏｎ  Ｒｅｆｅｒｅｎｃｅ  Ｓｉｇｎａｌ）を複数のアンテナポートを介して送信するＲＦ（Ｒａｄｉｏ  Ｆｒｅｑｕｅｎｃｙ）部；及び、
前記ＲＦ部と連結されるプロセッサ；を含み、
前記プロセッサは、
前記複数のレイヤを前記複数のアンテナポートに各々マッピングし、
前記複数のレイヤのＤＭＲＳを第１のＣＤＭ（Ｃｏｄｅ  Ｄｉｖｉｓｉｏｎ  Ｍｕｌｔｉｐｌｅｘｉｎｇ）集合または第２のＣＤＭ集合にマッピングするように構成される装置。
（項目１２）
前記複数のレイヤのＤＭＲＳのうち、第１のリソースブロック（ＲＢ；Ｒｅｓｏｕｒｃｅ  Ｂｌｏｃｋ）で第１のＣＤＭ集合にマッピングされたＤＭＲＳは、前記第１のＲＢと異なる第２のＲＢで第２のＣＤＭ集合にマッピングされ、前記複数のレイヤのＤＭＲＳのうち、第１のＲＢで第２のＣＤＭ集合にマッピングされたＤＭＲＳは、第２のＲＢで第１のＣＤＭ集合にマッピングされることを特徴とする項目１１に記載の装置。
（項目１３）
前記複数のレイヤの個数は、奇数個であることを特徴とする項目１２に記載の装置。
（項目１４）
前記複数のレイヤの個数に関係無しに前記複数のレイヤのＤＭＲＳは、予め決められたＣＤＭ集合にマッピングされることを特徴とする項目１１に記載の装置。
（項目１５）
前記複数のレイヤの個数に関係無しに前記第１のＣＤＭ集合または前記第２のＣＤＭ集合は、前記複数のアンテナポートのうち予め決められた特定アンテナポートとマッピングされることを特徴とする項目１１に記載の装置。
【発明の効果】
【００２６】
複数のレイヤのＤＭＲＳ（Ｄｅｍｏｄｕｌａｔｉｏｎ  Ｒｅｆｅｒｅｎｃｅ  Ｓｉｇｎａｌ）間のパワー不均衡（ｐｏｗｅｒ  ｉｍｂａｌａｎｃｅ）を解決することができる。
【図面の簡単な説明】
【００２７】
【図１】無線通信システムである。
【図２】３ＧＰＰ  ＬＴＥにおける無線フレーム（ｒａｄｉｏ  ｆｒａｍｅ）の構造を示す。
【図３】一つのダウンリンクスロットに対するリソースグリッド（ｒｅｓｏｕｒｃｅ  ｇｒｉｄ）の一例を示す。
【図４】ダウンリンクサブフレームの構造を示す。
【図５】アップリンクサブフレームの構造を示す。
【図６】ＣＲＳがＲＢにマッピングされるパターンの一例を示す。
【図７】ＣＲＳがＲＢにマッピングされるパターンの一例を示す。
【図８】ＣＲＳがＲＢにマッピングされるパターンの一例を示す。
【図９】ＤＭＲＳがＲＢにマッピングされるパターンの一例を示す。
【図１０】ＤＭＲＳがＲＢにマッピングされるパターンの一例を示す。
【図１１】ＤＭＲＳがＲＢにマッピングされるパターンの他の例を示す。
【図１２】ＤＭＲＳがＲＢにマッピングされるパターンの他の例を示す。
【図１３】ＤＭＲＳがＲＢにマッピングされるパターンの他の例を示す。
【図１４】レイヤの個数が３個である場合、レイヤ−アンテナポートマッピングの一例を示す。
【図１５】提案された発明によるレイヤ−アンテナポートマッピングの一例を示す。
【図１６】提案された発明によるレイヤ−アンテナポートマッピングの他の例を示す。
【図１７】提案された発明によるレイヤ−アンテナポートマッピングの他の例を示す。
【図１８】提案された発明によるレイヤ−アンテナポートマッピングの他の例を示す。
【図１９】提案された発明によるレイヤ−アンテナポートマッピングの他の例を示す。
【図２０】提案された発明によるレイヤ−アンテナポートマッピングの他の例を示す。
【図２１】提案された発明によるレイヤ−アンテナポートマッピングの他の例を示す。
【図２２】提案された複数のレイヤを複数のアンテナポートにマッピングする方法の一実施例を示す。
【図２３】本発明の実施例が具現される基地局及び端末のブロック図である。
【発明を実施するための形態】
【００２８】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような多様な無線通信システムに使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で具現されることができる。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（Ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づいているシステムとの後方互換性（ｂａｃｋｗａｒｄ  ｃｏｍｐａｔｉｂｉｌｉｔｙ）を提供する。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡ（Ｅｖｏｌｖｅｄ−ＵＭＴＳ  Ｔｅｒｒｅｓｔｒｉａｌ  Ｒａｄｉｏ  Ａｃｃｅｓｓ）を使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は、３ＧＰＰ  ＬＴＥの進化である。
【００２９】
説明を明確にするために、ＬＴＥ−Ａを中心に記述するが、本発明の技術的思想がこれに制限されるものではない。
【００３０】
図１は、無線通信システムである。
【００３１】
無線通信システム１０は、少なくとも一つの基地局（Ｂａｓｅ  Ｓｔａｔｉｏｎ；ＢＳ）１１を含む。各基地局１１は、特定の地理的領域（一般的にセルという）１５ａ、１５ｂ、１５ｃに対して通信サービスを提供する。また、セルは、複数の領域（セクターという）に分けられることができる。端末（Ｕｓｅｒ  Ｅｑｕｉｐｍｅｎｔ；ＵＥ）１２は、固定されたり移動性を有することができ、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることもある。基地局１１は、一般的に端末１２と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００３２】
端末は、通常的に一つのセルに属し、端末が属するセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラシステム（ｃｅｌｌｕｌａｒ  ｓｙｓｔｅｍ）であるため、サービングセルに隣接する他のセルが存在する。サービングセルに隣接する他のセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは、端末を基準に相対的に決定される。
【００３３】
この技術は、ダウンリンク（ｄｏｗｎｌｉｎｋ）またはアップリンク（ｕｐｌｉｎｋ）に使われることができる。一般的に、ダウンリンクは基地局１１から端末１２への通信を意味し、アップリンクは端末１２から基地局１１への通信を意味する。ダウンリンクで、送信機は基地局１１の一部分であり、受信機は端末１２の一部分である。アップリンクで、送信機は端末１２の一部分であり、受信機は基地局１１の一部分である。
【００３４】
無線通信システムは、ＭＩＭＯ（Ｍｕｌｔｉｐｌｅ−Ｉｎｐｕｔ  Ｍｕｌｔｉｐｌｅ−Ｏｕｔｐｕｔ）システム、ＭＩＳＯ（Ｍｕｌｔｉｐｌｅ−Ｉｎｐｕｔ  Ｓｉｎｇｌｅ−Ｏｕｔｐｕｔ）システム、ＳＩＳＯ（Ｓｉｎｇｌｅ−Ｉｎｐｕｔ  Ｓｉｎｇｌｅ−Ｏｕｔｐｕｔ）システム、及びＳＩＭＯ（Ｓｉｎｇｌｅ−Ｉｎｐｕｔ  Ｍｕｌｔｉｐｌｅ−Ｏｕｔｐｕｔ）システムのうちいずれか一つである。ＭＩＭＯシステムは、複数の送信アンテナ（ｔｒａｎｓｍｉｔ  ａｎｔｅｎｎａ）と複数の受信アンテナ（ｒｅｃｅｉｖｅ  ａｎｔｅｎｎａ）を使用する。ＭＩＳＯシステムは、複数の送信アンテナと一つの受信アンテナを使用する。ＳＩＳＯシステムは、一つの送信アンテナと一つの受信アンテナを使用する。ＳＩＭＯシステムは、一つの送信アンテナと複数の受信アンテナを使用する。以下、送信アンテナは、一つの信号またはストリームの送信に使われる物理的または論理的アンテナを意味し、受信アンテナは、一つの信号またはストリームの受信に使われる物理的または論理的アンテナを意味する。
【００３５】
図２は、３ＧＰＰ  ＬＴＥにおける無線フレーム（ｒａｄｉｏ  ｆｒａｍｅ）の構造を示す。
【００３６】
これは３ＧＰＰ（３ｒｄ  Ｇｅｎｅｒａｔｉｏｎ  Ｐａｒｔｎｅｒｓｈｉｐ  Ｐｒｏｊｅｃｔ）ＴＳ  ３６．２１１  Ｖ８．２．０（２００８−０３）“Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ  ８）”の５節を参照することができる。図２を参照すると、無線フレームは１０個のサブフレーム（ｓｕｂｆｒａｍｅ）で構成され、一つのサブフレームは２個のスロット（ｓｌｏｔ）で構成される。無線フレーム内のスロットは＃０から＃１９までのスロット番号が付けられる。一つのサブフレームの送信にかかる時間をＴＴＩ（Ｔｒａｎｓｍｉｓｓｉｏｎ  Ｔｉｍｅ  Ｉｎｔｅｒｖａｌ）という。ＴＴＩは、データ送信のためのスケジューリング単位を意味する。例えば、一つの無線フレームの長さは１０ｍｓであり、一つのサブフレームの長さは１ｍｓであり、一つのスロットの長さは０．５ｍｓである。
【００３７】
一つのスロットは、時間領域（ｔｉｍｅ  ｄｏｍａｉｎ）で複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数領域で複数の副搬送波を含む。ＯＦＤＭシンボルは、３ＧＰＰ  ＬＴＥがダウンリンクでＯＦＤＭＡを使用するため、一つのシンボル区間（ｓｙｍｂｏｌ  ｐｅｒｉｏｄ）を表現するためのものであり、多重接続方式によって他の名称で呼ばれることもある。例えば、アップリンク多重接続方式にＳＣ−ＦＤＭＡが使われる場合、ＳＣ−ＦＤＭＡシンボルということができる。リソースブロック（ＲＢ；Ｒｅｓｏｕｒｃｅ  Ｂｌｏｃｋ）は、リソース割当単位であり、一つのスロットで複数の連続する副搬送波を含む。前記無線フレームの構造は一例に過ぎない。従って、無線フレームに含まれるサブフレームの個数やサブフレームに含まれるスロットの個数、またはスロットに含まれるＯＦＤＭシンボルの個数は多様に変更されることができる。
【００３８】
３ＧＰＰ  ＬＴＥでは、ノーマル（ｎｏｒｍａｌ）サイクリックプレフィックス（ＣＰ；Ｃｙｃｌｉｃ  Ｐｒｅｆｉｘ）で一つのスロットは７個のＯＦＤＭシンボルを含み、拡張（ｅｘｔｅｎｄｅｄ）ＣＰで一つのスロットは６個のＯＦＤＭシンボルを含むと定義している。
【００３９】
無線通信システムは、大きく、ＦＤＤ（Ｆｒｅｑｕｅｎｃｙ  Ｄｉｖｉｓｉｏｎ  Ｄｕｐｌｅｘ）方式とＴＤＤ（Ｔｉｍｅ  Ｄｉｖｉｓｉｏｎ  Ｄｕｐｌｅｘ）方式とに分けられる。ＦＤＤ方式によると、アップリンク送信とダウンリンク送信が互いに異なる周波数帯域を占めて行われる。ＴＤＤ方式によると、アップリンク送信とダウンリンク送信が同じ周波数帯域を占め、互いに異なる時間に行われる。ＴＤＤ方式のチャネル応答は、実質的に相互的（ｒｅｃｉｐｒｏｃａｌ）である。これは与えられた周波数領域でダウンリンクチャネル応答とアップリンクチャネル応答がほぼ同じであるということを意味する。従って、ＴＤＤに基づいている無線通信システムにおけるダウンリンクチャネル応答は、アップリンクチャネル応答から得られることができるという長所がある。ＴＤＤ方式は、全体周波数帯域をアップリンク送信とダウンリンク送信が時分割されるため、基地局によるダウンリンク送信と端末によるアップリンク送信が同時に実行されることができない。アップリンク送信とダウンリンク送信がサブフレーム単位に区分されるＴＤＤシステムで、アップリンク送信とダウンリンク送信は、互いに異なるサブフレームで実行される。
【００４０】
図３は、一つのダウンリンクスロットに対するリソースグリッド（ｒｅｓｏｕｒｃｅ  ｇｒｉｄ）の一例を示す。
【００４１】
ダウンリンクスロットは、時間領域で複数のＯＦＤＭシンボルを含み、周波数領域でＮＲＢ個のリソースブロックを含む。ダウンリンクスロットに含まれるリソースブロックの数ＮＲＢは、セルで設定されるダウンリンク送信帯域幅（ｂａｎｄｗｉｄｔｈ）に従属する。例えば、ＬＴＥシステムにおけるＮＲＢは、６０乃至１１０のうちいずれか一つである。一つのリソースブロックは、周波数領域で複数の副搬送波を含む。アップリンクスロットの構造も前記ダウンリンクスロットの構造と同様である。
【００４２】
リソースグリッド上の各要素（ｅｌｅｍｅｎｔ）をリソース要素（ＲＥ；Ｒｅｓｏｕｒｃｅ  Ｅｌｅｍｅｎｔ）という。リソースグリッド上のリソース要素は、スロット内のインデックス対（ｐａｉｒ）（ｋ，ｌ）により識別されることができる。ここで、ｋ（ｋ＝０，．．．，ＮＲＢ×１２−１）は周波数領域内の副搬送波インデックスであり、ｌ（ｌ＝０，．．．，６）は時間領域内のＯＦＤＭシンボルインデックスである。
【００４３】
ここで、一つのリソースブロックは、時間領域で７ＯＦＤＭシンボル、周波数領域で１２副搬送波で構成される７×１２リソース要素を含むことを例示的に記述するが、リソースブロック内のＯＦＤＭシンボルの数と副搬送波の数はこれに制限されるものではない。ＯＦＤＭシンボルの数と副搬送波の数は、ＣＰの長さ、周波数間隔（ｆｒｅｑｕｅｎｃｙ  ｓｐａｃｉｎｇ）などによって多様に変更されることができる。例えば、ノーマルＣＰの場合、ＯＦＤＭシンボルの数は７であり、拡張されたＣＰの場合、ＯＦＤＭシンボルの数は６である。一つのＯＦＤＭシンボルで副搬送波の数は、１２８、２５６、５１２、１０２４、１５３６、及び２０４８の中から一つを選定して使用することができる。
【００４４】
図４は、ダウンリンクサブフレームの構造を示す。
【００４５】
ダウンリンクサブフレームは時間領域で２個のスロットを含み、各スロットはノーマルＣＰで７個のＯＦＤＭシンボルを含む。サブフレーム内の第１のスロットの前方部の最大３ＯＦＤＭシンボル（１．４Ｍｈｚ帯域幅に対しては最大４ＯＦＤＭシンボル）は、制御チャネルが割り当てられる制御領域（ｃｏｎｔｒｏｌ  ｒｅｇｉｏｎ）であり、残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域である。
【００４６】
ＰＤＣＣＨは、ＤＬ−ＳＣＨ（Ｄｏｗｎｌｉｎｋ−Ｓｈａｒｅｄ  Ｃｈａｎｎｅｌ）のリソース割当及び送信フォーマット、ＵＬ−ＳＣＨ（Ｕｐｌｉｎｋ  Ｓｈａｒｅｄ  Ｃｈａｎｎｅｌ）のリソース割当情報、ＰＣＨ上のページング情報、ＤＬ−ＳＣＨ上のシステム情報、ＰＤＳＣＨ上に送信されるランダムアクセス応答のような上位階層制御メッセージのリソース割当、任意のＵＥグループ内の個別ＵＥに対する送信パワー制御命令の集合、及びＶｏＩＰ（Ｖｏｉｃｅ  ｏｖｅｒ  Ｉｎｔｅｒｎｅｔ  Ｐｒｏｔｏｃｏｌ）の活性化などを運ぶことができる。複数のＰＤＣＣＨが制御領域内で送信されることができ、端末は複数のＰＤＣＣＨをモニタリングすることができる。ＰＤＣＣＨは、一つまたは複数個の連続的なＣＣＥ（Ｃｏｎｔｒｏｌ  Ｃｈａｎｎｅｌ  Ｅｌｅｍｅｎｔｓ）の集合（ａｇｇｒｅｇａｔｉｏｎ）上に送信される。ＣＣＥは、無線チャネルの状態による符号化率をＰＤＣＣＨに提供するために使われる論理的割当単位である。ＣＣＥは、複数のリソース要素グループ（ｒｅｓｏｕｒｃｅ  ｅｌｅｍｅｎｔ  ｇｒｏｕｐ）に対応される。ＣＣＥの数とＣＣＥにより提供される符号化率の関係によってＰＤＣＣＨのフォーマット及び可能なＰＤＣＣＨのビット数が決定される。
【００４７】
基地局は、端末に送るＤＣＩに応じてＰＤＣＣＨフォーマットを決定し、制御情報にＣＲＣ（Ｃｙｃｌｉｃ  Ｒｅｄｕｎｄａｎｃｙ  Ｃｈｅｃｋ）を付ける。ＣＲＣにはＰＤＣＣＨの所有者（ｏｗｎｅｒ）や用途によって固有な識別子（ＲＮＴＩ；Ｒａｄｉｏ  Ｎｅｔｗｏｒｋ  Ｔｅｍｐｏｒａｒｙ  Ｉｄｅｎｔｉｆｉｅｒ）がマスキングされる。特定端末のためのＰＤＣＣＨの場合、端末の固有識別子、例えば、Ｃ−ＲＮＴＩ（Ｃｅｌｌ−ＲＮＴＩ）がＣＲＣにマスキングされることができる。または、ページングメッセージのためのＰＤＣＣＨの場合、ページング指示識別子、例えば、Ｐ−ＲＮＴＩ（Ｐａｇｉｎｇ−ＲＮＴＩ）がＣＲＣにマスキングされることができる。システム情報（ＳＩＢ；Ｓｙｓｔｅｍ  Ｉｎｆｏｒｍａｔｉｏｎ  Ｂｌｏｃｋ）のためのＰＤＣＣＨの場合、システム情報識別子、ＳＩ−ＲＮＴＩ（Ｓｙｓｔｅｍ  Ｉｎｆｏｒｍａｔｉｏｎ−ＲＮＴＩ）がＣＲＣにマスキングされることができる。端末のランダムアクセスプリアンブルの送信に対する応答であるランダムアクセス応答を指示するために、ＲＡ−ＲＮＴＩ（Ｒａｎｄｏｍ  Ａｃｃｅｓｓ−ＲＮＴＩ）がＣＲＣにマスキングされることができる。
【００４８】
図５は、アップリンクサブフレームの構造を示す。
【００４９】
アップリンクサブフレームは、周波数領域で、制御領域とデータ領域とに分けられることができる。前記制御領域には、アップリンク制御情報が送信されるためのＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。前記データ領域には、データが送信されるためのＰＵＳＣＨ（Ｐｈｙｓｉｃａｌ  Ｕｐｌｉｎｋ  Ｓｈａｒｅｄ  Ｃｈａｎｎｅｌ）が割り当てられる。上位階層で指示される場合、端末は、ＰＵＳＣＨとＰＵＣＣＨの同時送信をサポートすることができる。
【００５０】
一つの端末に対するＰＵＣＣＨは、サブフレームでリソースブロック対（ＲＢ  ｐａｉｒ）で割り当てられる。リソースブロック対に属するリソースブロックは、第１のスロットと第２のスロットの各々で互いに異なる副搬送波を占める。ＰＵＣＣＨに割り当てられるリソースブロック対に属するリソースブロックが占める周波数は、スロット境界（ｓｌｏｔ  ｂｏｕｎｄａｒｙ）を基準に変更される。これをＰＵＣＣＨに割り当てられるＲＢ対がスロット境界で周波数ホッピングされた（ｆｒｅｑｕｅｎｃｙ−ｈｏｐｐｅｄ）という。端末がアップリンク制御情報を時間によって互いに異なる副搬送波を介して送信することで、周波数ダイバーシティ利得を得ることができる。ｍは、サブフレーム内でＰＵＣＣＨに割り当てられたリソースブロック対の論理的な周波数領域位置を示す位置インデックスである。
【００５１】
ＰＵＣＣＨ上に送信されるアップリンク制御情報には、ＨＡＲＱ（Ｈｙｂｒｉｄ  Ａｕｔｏｍａｔｉｃ  Ｒｅｐｅａｔ  ｒｅＱｕｅｓｔ）ＡＣＫ（Ａｃｋｎｏｗｌｅｄｇｅｍｅｎｔ）／ＮＡＣＫ（Ｎｏｎ−ａｃｋｎｏｗｌｅｄｇｅｍｅｎｔ）、ダウンリンクチャネル状態を示すＣＱＩ（Ｃｈａｎｎｅｌ  Ｑｕａｌｉｔｙ  Ｉｎｄｉｃａｔｏｒ）、アップリンク無線リソース割当要求であるＳＲ（Ｓｃｈｅｄｕｌｉｎｇ  Ｒｅｑｕｅｓｔ）などがある。
【００５２】
ＰＵＳＣＨは、トランスポートチャネル（ｔｒａｎｓｐｏｒｔ  ｃｈａｎｎｅｌ）であるＵＬ−ＳＣＨ（Ｕｐｌｉｎｋ  Ｓｈａｒｅｄ  Ｃｈａｎｎｅｌ）にマッピングされる。ＰＵＳＣＨ上に送信されるアップリンクデータは、ＴＴＩ中に送信されるＵＬ−ＳＣＨのためのデータブロックであるトランスポートブロック（ｔｒａｎｓｐｏｒｔ  ｂｌｏｃｋ）である。前記トランスポートブロックは、ユーザ情報である。または、アップリンクデータは、多重化された（ｍｕｌｔｉｐｌｅｘｅｄ）データである。多重化されたデータは、ＵＬ−ＳＣＨのためのトランスポートブロックと制御情報が多重化されたものである。例えば、データに多重化される制御情報には、ＣＱＩ、ＰＭＩ（Ｐｒｅｃｏｄｉｎｇ  Ｍａｔｒｉｘ  Ｉｎｄｉｃａｔｏｒ）、ＨＡＲＱ、ＲＩ（Ｒａｎｋ  Ｉｎｄｉｃａｔｏｒ）などがある。または、アップリンクデータは制御情報のみで構成されることもできる。
【００５３】
参照信号は、一般的にシーケンスで送信される。参照信号シーケンスは、特別な制限無しに任意のシーケンスが使われることができる。参照信号シーケンスは、ＰＳＫ（Ｐｈａｓｅ  Ｓｈｉｆｔ  Ｋｅｙｉｎｇ）ベースのコンピュータを介して生成されたシーケンス（ＰＳＫ−ｂａｓｅｄ  ｃｏｍｐｕｔｅｒ  ｇｅｎｅｒａｔｅｄ  ｓｅｑｕｅｎｃｅ）を使用することができる。ＰＳＫの例には、ＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）などがある。または、参照信号シーケンスは、ＣＡＺＡＣ（Ｃｏｎｓｔａｎｔ  Ａｍｐｌｉｔｕｄｅ  ＺｅｒｏＡｕｔｏ−Ｃｏｒｒｅｌａｔｉｏｎ）シーケンスを使用することができる。ＣＡＺＡＣシーケンスの例には、ＺＣ（Ｚａｄｏｆｆ−Ｃｈｕ）ベースのシーケンス（ＺＣ−ｂａｓｅｄ  ｓｅｑｕｅｎｃｅ）、循環拡張（ｃｙｃｌｉｃ  ｅｘｔｅｎｓｉｏｎ）されたＺＣシーケンス（ＺＣ  ｓｅｑｕｅｎｃｅ  ｗｉｔｈ  ｃｙｃｌｉｃ  ｅｘｔｅｎｓｉｏｎ）、切断（ｔｒｕｎｃａｔｉｏｎ）ＺＣシーケンス（ＺＣ  ｓｅｑｕｅｎｃｅ  ｗｉｔｈ  ｔｒｕｎｃａｔｉｏｎ）などがある。または、参照信号シーケンスは、ＰＮ（ｐｓｅｕｄｏ−ｒａｎｄｏｍ）シーケンスを使用することができる。ＰＮシーケンスの例には、ｍ−シーケンス、コンピュータを介して生成されたシーケンス、ゴールド（Ｇｏｌｄ）シーケンス、カサミ（Ｋａｓａｍｉ）シーケンスなどがある。また、参照信号シーケンスは、循環シフトされたシーケンス（ｃｙｃｌｉｃａｌｌｙ  ｓｈｉｆｔｅｄ  ｓｅｑｕｅｎｃｅ）を用いることができる。
【００５４】
ダウンリンク参照信号は、セル特定参照信号（ＣＲＳ；ｃｅｌｌ−ｓｐｅｃｉｆｉｃ  ＲＳ）、ＭＢＳＦＮ参照信号、端末特定参照信号（ＵＥ−ｓｐｅｃｉｆｉｃ  ＲＳ）ポジショニング参照信号（ＰＲＳ；Ｐｏｓｉｔｉｏｎｉｎｇ  ＲＳ）、及びＣＳＩ（Ｃｈａｎｎｅｌ  Ｓｔａｔｅ  Ｉｎｆｏｒｍａｔｉｏｎ）参照信号（ＣＳＩ−ＲＳ）に区分されることができる。
【００５５】
まず、ＣＲＳに対して説明する。ＣＲＳは、セル内の全ての端末に送信される参照信号であり、チャネル推定に使われる。ＣＲＳは、ＰＤＳＣＨ送信をサポートするセル内の全てのダウンリンクサブフレームで送信されることができる。
【００５６】
図６乃至図８は、ＣＲＳがＲＢにマッピングされるパターンの一例を示す。
【００５７】
図６は、基地局が一つのアンテナを使用する場合、図７は、基地局が２個のアンテナを使用する場合、図８は、基地局が４個のアンテナを使用する場合、ＣＲＳがＲＢにマッピングされるパターンの一例を示す。これは３ＧＰＰ  ＴＳ  ３６．２１１  Ｖ８．２．０（２００８−０３）の６．１０．１節を参照することができる。また、前記ＣＲＳパターンは、ＬＴＥ−Ａの特徴をサポートするために使われることもできる。例えば、協力的多重点（ＣｏＭＰ；Ｃｏｏｒｄｉｎａｔｅｄ  Ｍｕｌｔｉ−Ｐｏｉｎｔ）送信受信技法または空間多重化（ｓｐａｔｉａｌ  ｍｕｌｔｉｐｌｅｘｉｎｇ）などの特徴をサポートするために使われることができる。また、ＣＲＳは、チャネル品質測定、ＣＰ検出、時間／周波数同期化などの用途で使われることができる。
【００５８】
図６乃至８を参照すると、基地局が複数のアンテナを使用する多重アンテナ送信の場合、アンテナ毎に一つのリソースグリッドがある。‘Ｒ０’は第１のアンテナに対する参照信号を示し、‘Ｒ１’は第２のアンテナに対する参照信号を示し、‘Ｒ２’は第３のアンテナに対する参照信号を示し、‘Ｒ３’は第４のアンテナに対する参照信号を示す。Ｒ０乃至Ｒ３のサブフレーム内の位置は互いに重複しない。ｌはスロット内のＯＦＤＭシンボルの位置であり、ノーマルＣＰにおけるｌは０〜６の値を有する。一つのＯＦＤＭシンボルで各アンテナに対する参照信号は６副搬送波間隔に位置する。サブフレーム内のＲ０の数とＲ１の数は同じであり、Ｒ２の数とＲ３の数は同じである。サブフレーム内のＲ２、Ｒ３の数は、Ｒ０、Ｒ１の数より少ない。一アンテナの参照信号に使われたリソース要素は他のアンテナの参照信号に使われない。アンテナ間干渉を与えないためである。
【００５９】
ＣＲＳは、ストリームの個数に関係無しに常にアンテナの個数ほど送信される。ＣＲＳは、アンテナ毎に独立的な参照信号を有する。ＣＲＳのサブフレーム内の周波数領域の位置及び時間領域の位置は、端末に関係無しに決められる。ＣＲＳにかけられるＣＲＳシーケンスも端末に関係無しに生成される。従って、セル内の全ての端末はＣＲＳを受信することができる。ただし、ＣＲＳのサブフレーム内の位置及びＣＲＳシーケンスは、セルＩＤに応じて決められることができる。ＣＲＳのサブフレーム内の時間領域の位置は、アンテナの番号、リソースブロック内のＯＦＤＭシンボルの個数に応じて決められることができる。ＣＲＳのサブフレーム内の周波数領域の位置は、アンテナの番号、セルＩＤ、ＯＦＤＭシンボルインデックス（ｌ）、無線フレーム内のスロット番号などによって決められることができる。
【００６０】
ＣＲＳシーケンスは、一つのサブフレーム内のＯＦＤＭシンボル単位に適用されることができる。ＣＲＳシーケンスは、セルＩＤ、一つの無線フレーム内のスロット番号、スロット内のＯＦＤＭシンボルインデックス、ＣＰの種類などによって変わることができる。一つのＯＦＤＭシンボル上で各アンテナ別参照信号副搬送波の個数は２個である。サブフレームが周波数領域でＮＲＢ個のリソースブロックを含むとする時、一つのＯＦＤＭシンボル上で各アンテナ別参照信号副搬送波の個数は２×ＮＲＢである。従って、ＣＲＳシーケンスの長さは２×ＮＲＢになる。
【００６１】
数式２は、ＣＲＳシーケンスｒ（ｍ）の一例を示す。
【００６２】
【数２】
0005417536.tif 000008
ここで、ｍは０，１，．．．，２ＮＲＢｍａｘ−１である。２ＮＲＢｍａｘは最大帯域幅に該当するリソースブロックの個数である。例えば、３ＧＰＰ  ＬＴＥにおける２ＮＲＢｍａｘは１１０である。ｃ（ｉ）は、ＰＮシーケンスであり、疑似任意シーケンスであり、長さ−３１のゴールド（Ｇｏｌｄ）シーケンスにより定義されることができる。数式３は、ゴールドシーケンスｃ（ｎ）の一例を示す。
【００６３】
【数３】
0005417536.tif 000009
ここで、Ｎｃ＝１６００であり、ｘ１（ｉ）は第１のｍ−シーケンスであり、ｘ２（ｉ）は第２のｍ−シーケンスである。例えば、第１のｍ−シーケンスまたは第２のｍ−シーケンスは、ＯＦＤＭシンボル毎にセルＩＤ、一つの無線フレーム内のスロット番号、スロット内のＯＦＤＭシンボルインデックス、ＣＰの種類などによって初期化（ｉｎｉｔｉａｌｉｚａｔｉｏｎ）されることができる。
【００６４】
２ＮＲＢｍａｘより小さい帯域幅を有するシステムの場合、２×２ＮＲＢｍａｘ長さに生成された参照信号シーケンスから２×ＮＲＢ長さに一定部分のみを選択して使用することができる。
【００６５】
ＭＢＳＦＮ参照信号は、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）を提供するための参照信号であり、ＭＢＳＦＮ送信のために割り当てられたサブフレームで送信されることができる。ＭＢＳＦＮ参照信号は、拡張ＣＰ構造でのみ定義されることができる。
【００６６】
次に、端末特定参照信号に対して説明する。端末特定参照信号は、セル内の特定端末または特定端末グループが受信する参照信号であり、特定端末または特定端末グループのデータ復調（ｄｅｍｏｄｕｌａｔｉｏｎ）に主に使われるため、ＤＭＲＳ（Ｄｅｍｏｄｕｌａｔｉｏｎ  ＲＳ）と呼ばれることができる。
【００６７】
図９及び図１０は、ＤＭＲＳがＲＢにマッピングされるパターンの一例を示す。
【００６８】
図９は、ノーマルＣＰ構造で、ＤＭＲＳがＲＢにマッピングされるパターンの一例を示す。ノーマルＣＰ構造におけるサブフレームは１４ＯＦＤＭシンボルを含む。‘Ｒ５’はＤＭＲＳを送信するアンテナの参照信号を示す。ＤＭＲＳはアンテナポート５を介して送信されることができる。参照信号を含む一つのＯＦＤＭシンボル上で参照副搬送波は４副搬送波間隔に位置する。図１０は、拡張ＣＰ構造で、ＤＭＲＳがＲＢにマッピングされるパターンの例を示す。拡張ＣＰ構造におけるサブフレームは１２ＯＦＤＭシンボルを含む。一つのＯＦＤＭシンボル上で参照信号副搬送波は３副搬送波間隔に位置する。これは３ＧＰＰ  ＴＳ  ３６．２１１  Ｖ８．２．０（２００８−０３）の６．１０．３節を参照することができる。
【００６９】
ＤＭＲＳのサブフレーム内の周波数領域の位置及び時間領域の位置は、ＰＤＳＣＨ送信のために割り当てられたリソースブロックによって決められることができる。ＤＭＲＳシーケンスは、端末ＩＤによって決められることができ、前記端末ＩＤに該当する特定端末のみがＤＭＲＳを受信することができる。
【００７０】
ＤＭＲＳシーケンスも数式２及び３により得られることができる。ただし、数式２のｍはＮＲＢＰＤＳＣＨにより決められる。ＮＲＢＰＤＳＣＨはＰＤＳＣＨ送信に対応する帯域幅に該当するリソースブロックの個数である。ＮＲＢＰＤＳＣＨによってＤＭＲＳシーケンスの長さが変わることができる。即ち、端末が割当を受けるデータ量に応じてＤＭＲＳシーケンスの長さが変わることができる。数式２の第１のｍ−シーケンス（ｘ１（ｉ））または第２のｍ−シーケンス（ｘ２（ｉ））は、サブフレーム毎にセルＩＤ、一つの無線フレーム内のサブフレームの位置、端末ＩＤなどによって初期化されることができる。
【００７１】
ＤＭＲＳシーケンスは、サブフレーム毎に生成され、ＯＦＤＭシンボル単位に適用されることができる。一つのサブフレーム内で、リソースブロック当たり参照信号副搬送波の個数は１２個であり、リソースブロックの個数はＮＲＢＰＤＳＣＨであると仮定する。全体参照信号副搬送波の個数は１２×ＮＲＢＰＤＳＣＨである。従って、ＤＭＲＳシーケンスの長さは１２×ＮＲＢＰＤＳＣＨになる。数式２を用いてＤＭＲＳシーケンスを生成する場合、ｍは０，１，．．．，１２ＮＲＢＰＤＳＣＨ−１である。ＤＭＲＳシーケンスは順に参照シンボルにマッピングされる。まず、ＤＭＲＳシーケンスは、一つのＯＦＤＭシンボルで副搬送波インデックスの昇順に参照シンボルにマッピングされた後、次のＯＦＤＭシンボルにマッピングされる。
【００７２】
また、ＣＲＳはＤＭＲＳと同時に使われることができる。例えば、サブフレーム内の第１のスロットの３ＯＦＤＭシンボル（ｌ＝０，１，２）を介して制御情報が送信されると仮定する。ＯＦＤＭシンボルインデックスが０、１、２（ｌ＝０，１，２）であるＯＦＤＭシンボルではＣＲＳを使用し、３個ＯＦＤＭシンボルを除いた残りのＯＦＤＭシンボルではＤＭＲＳを使用することができる。この時、予め定義されたシーケンスをセル別ダウンリンク参照信号にかけて送信することで、受信機で隣接セルから受信される参照信号の干渉を減少させ、チャネル推定の性能を向上させることができる。前記予め定義されたシーケンスは、ＰＮシーケンス、ｍ−シーケンス、ウォルシュアダマール（Ｗａｌｓｈ  ｈａｄａｍａｒｄ）シーケンス、ＺＣシーケンス、ＧＣＬシーケンス、ＣＡＺＡＣシーケンスなどのうちいずれの一つである。前記予め定義されたシーケンスは、一つのサブフレーム内のＯＦＤＭシンボル単位に適用が可能であり、また、セルＩＤ、サブフレーム番号、ＯＦＤＭシンボルの位置、端末ＩＤなどによって他のシーケンスが適用されることができる。
【００７３】
図１１及び図１２は、ＤＭＲＳがＲＢにマッピングされるパターンの他の例を示す。
【００７４】
図１１は、ノーマルＣＰ構造でＤＭＲＳがＲＢにマッピングされるパターンの一例を示す。‘Ｒ７’乃至‘Ｒ１０’はアンテナポート７乃至１０のＤＭＲＳを示す。アンテナポート７とアンテナポート８のＤＭＲＳは、同じリソース要素にマッピングされ、直交コード（ｏｒｔｈｏｇｏｎａｌ  ｃｏｄｅ）によりＣＤＭ（Ｃｏｄｅ  Ｄｉｖｉｓｉｏｎ  Ｍｕｌｔｉｐｌｅｘｉｎｇ）方式に多重化される。同様に、アンテナポート９とアンテナポート１０のＤＭＲＳは、同じリソース要素にマッピングされ、直交コードによりＣＤＭ方式に多重化される。図１１において、アンテナポート７とアンテナポート８のＤＭＲＳがマッピングされる１２個のＲＥを第１のＣＤＭ集合（または、第１のＣＤＭグループ）で表現し、アンテナポート９とアンテナポート１０のＤＭＲＳがマッピングされる１２個のＲＥを第２のＣＤＭ集合（または、第２のＣＤＭグループ）で表現することができる。図１２は、拡張ＣＰ構造でＤＭＲＳがＲＢにマッピングされるパターンの例を示す。図１２でも図１１と同様に、アンテナポート７とアンテナポート８のＤＭＲＳは、同じリソース要素にマッピングされ、直交コードによりＣＤＭ方式に多重化される。
【００７５】
図１３は、ＤＭＲＳがＲＢにマッピングされるパターンの他の例を示す。
【００７６】
図１３は、レイヤの個数が最大８個である時、各レイヤのＤＭＲＳがマッピングされるパターンの一例である。図１３−（ａ）では、第１のＣＤＭ集合（‘Ｃ’）にレイヤ０、１、４及び６のＤＭＲＳがマッピングされ、第２のＣＤＭ集合（‘Ｄ’）にレイヤ２、３、５及び７のＤＭＲＳがマッピングされる。図１３−（ｂ）では、第１のＣＤＭ集合（‘Ｃ’）にレイヤ０、１、４及び５のＤＭＲＳがマッピングされ、第２のＣＤＭ集合（‘Ｄ’）にレイヤ２、３、６及び７のＤＭＲＳがマッピングされる。この時、各ＣＤＭ集合内で各レイヤのＤＭＲＳは、時間領域で長さが４である直交カバーコード（ＯＣＣ；Ｏｒｔｈｏｇｏｎａｌ  Ｃｏｖｅｒ  Ｃｏｄｅ）によりＣＤＭ方式に多重化されることができる。
【００７７】
一方、レイヤ間のパワー不均衡またはパワーブースティング（ｐｏｗｅｒ  ｂｏｏｓｔｉｎｇ）の観点で、図１３−（ａ）のＤＭＲＳパターンが図１３−（ｂ）のＤＭＲＳパターンより有利である。例えば、レイヤの個数が６個である場合、各ＣＤＭ集合に属する各レイヤのＤＭＲＳ間のパワー不均衡のため各ＣＤＭ集合内での連結性能（ｌｉｎｋ  ｐｅｒｆｏｒｍａｎｃｅ）が減少することができる。図１３−（ｂ）のＤＭＲＳパターンの場合、第１のＣＤＭ集合に４個のレイヤのＤＭＲＳがマッピングされ、第２のＣＤＭ集合に２個のレイヤのＤＭＲＳがマッピングされるため、第２のＣＤＭ集合にマッピングされるレイヤのＤＭＲＳが第１のＣＤＭ集合にマッピングされるレイヤのＤＭＲＳより２倍のパワーで送信されることができる。これによって、レイヤ０、１、４及び５のＤＭＲＳを介するチャネル推定性能が落ちることができる。一方、図１３−（ａ）のＤＭＲＳパターンの場合、第１のＣＤＭ集合と第２のＣＤＭ集合の両方ともに３個のレイヤのＤＭＲＳがマッピングされるため、各ＣＤＭ集合にマッピングされるＤＭＲＳが同じパワーで送信されることができる。従って、複数のレイヤのＤＭＲＳ間のチャネル推定性能に差がない。
【００７８】
ＰＲＳは、端末の位置測定のために使われることができる。ＰＲＳは、ＰＲＳ送信のために割り当てられたダウンリンクサブフレーム内のリソースブロックを介してのみ送信されることができる。
【００７９】
ＣＳＩ−ＲＳは、チャネル状態情報の推定のために使われることができる。ＣＳＩ−ＲＳは、周波数領域または時間領域で比較的少なく（ｓｐａｒｓｅ）配置され、一般サブフレームまたはＭＢＳＦＮ（Ｍｕｌｔｉｍｅｄｉａ  Ｂｒｏａｄｃａｓｔ  ａｎｄ  ｍｕｌｔｉｃａｓｔ  Ｓｉｎｇｌｅ  Ｆｒｅｑｕｅｎｃｙ  Ｎｅｔｗｏｒｋ）サブフレームのデータ領域では省略（ｐｕｎｃｔｕｒｅｄ）されることができる。ＣＳＩの推定を介して、必要な場合、チャネル品質指示子（ＣＱＩ；Ｃｈａｎｎｅｌ  Ｑｕａｌｉｔｙ  Ｉｎｄｉｃａｔｏｒ）、プリコーディング行列指示子（ＰＭＩ；Ｐｒｅｃｏｄｉｎｇ  Ｍａｔｒｉｘ  Ｉｎｄｉｃａｔｏｒ）、及びランク指示子（ＲＩ；Ｒａｎｋ  Ｉｎｄｉｃａｔｏｒ）などが端末から報告されることができる。
【００８０】
レイヤ（ｌａｙｅｒ）をアンテナポートにマッピングする時、前述したＤＭＲＳパターンが使われる場合、各ＲＢ当たりＤＭＲＳがマッピングされるＲＥの総個数は、割り当てられたＲＢで送信されるレイヤの個数に応じて変わることができる。以下、レイヤは、ランク（ｒａｎｋ）またはストリーム（ｓｔｒｅａｍ）などと混用されて使われることができる。例えば、一つのＲＢ内でスケジューリングされたレイヤの個数が１個または２個である場合、ＲＢ内にＤＭＲＳ送信のために使われるＲＥの個数は、図９または図１０により１２個、即ち、一つのＣＤＭ集合である。複数のレイヤのＤＭＲＳは、直交コードにより一つのＣＤＭ集合に多重化されてマッピングされることができる。または、一つのＲＢ内でスケジューリングされたレイヤの個数が３個以上である場合、ＲＢ内にＤＭＲＳ送信のために使われるＲＥの個数は、図１１または図１２により２４個、即ち、２個のＣＤＭ集合である。レイヤの個数が１個または２個である場合、１個または２個のレイヤのＤＭＲＳをＲＥにマッピングするにあたって曖昧性（ａｍｂｉｇｕｉｔｙ）が存在しない。これは一つのＲＢに一つのＣＤＭ集合のみが存在し、一つのＣＤＭ集合に最大２個のレイヤのＤＭＲＳが多重化されることができるためである。一方、レイヤの個数が３個以上である場合、レイヤをアンテナポートにマッピングする多様な方法が考慮されることができる。例えば、レイヤの個数が３個である時、２個のＣＤＭ集合のうち一つのＣＤＭ集合には２個のレイヤのＤＭＲＳが多重化されてマッピングされ、残りの一つのＣＤＭ集合には１個のレイヤのＤＭＲＳのみがマッピングされることができる。即ち、３個のレイヤのＤＭＲＳを２個のＣＤＭ集合にマッピングする時、曖昧性が発生する。これによって、レイヤの個数が３個以上である場合、レイヤをアンテナポートにマッピングするための新たな方法が提案される必要がある。
【００８１】
一方、ＬＴＥ  ｒｅｌ−８の単一レイヤビーム形成（ｂｅａｍｆｏｒｍｉｎｇ）またはＬＴＥ  ｒｅｌ−９の二重レイヤビーム形成で、各アンテナポート（アンテナポート５、７または８）のＤＭＲＳのＲＥ当たりエネルギー（ＥＰＲＥ；Ｅｎｅｒｇｙ  Ｐｅｒ  Ｒｅｓｏｕｒｃｅ  Ｅｌｅｍｅｎｔ）は、ＰＤＳＣＨのＥＰＲＥと同じに構成される。ＬＴＥ−Ａではアンテナポートの個数が最大８個まで拡張されることができる。また、レイヤの個数が３個以上である場合、各アンテナポートは、ＯＦＤＭシンボル内で一つのＲＢを構成する１２個の副搬送波のうち９個の副搬送波のみを用いてＰＤＳＣＨまたはＤＭＲＳを送信することができる。これによって、ＬＴＥ−Ａでレイヤの個数が３個以上である場合、各アンテナポートでＤＭＲＳのＥＰＲＥとＰＤＳＣＨのＥＰＲＥが比率が新たに定義される必要がある。例えば、ＤＭＲＳを含むＯＦＤＭシンボルでＤＭＲＳのＥＰＲＥがＰＤＳＣＨのＥＰＲＥの２倍であると定義されることができる。これは全てのレイヤでＤＭＲＳのＥＰＲＥとＰＤＳＣＨのＥＰＲＥの比率が同じであり、信号を送信しないアンテナポートに割り当てられた使われないパワーを、信号を送信するアンテナポートに割り当てる場合に適用されることができる。以下、レイヤ間のパワーは均等であると仮定する。
【００８２】
図１４は、レイヤの個数が３個である場合、レイヤ−アンテナポートマッピングの一例を示す。
【００８３】
図１４は、図１１のＤＲＭＳパターンでＤＭＲＳがマッピングされるリソース要素のみを示す。即ち、図１４のリソース要素は、６番目及び７番目のＯＦＤＭシンボルまたは１３番目及び１４番目のＯＦＤＭシンボルの１番目及び２番目の副搬送波、６番目及び７番目の副搬送波、または１１番目及び１２番目の副搬送波のうちいずれか一つである。
【００８４】
図１４−（ａ）では、レイヤ０とレイヤ１はアンテナポート７と８にマッピングされる第１のＣＤＭ集合にマッピングされ、レイヤ２はアンテナポート９と１０にマッピングされる第２のＣＤＭ集合にマッピングされる。３個のレイヤが同じパワーを有し、２個のレイヤのＤＭＲＳがマッピングされる第１のＣＤＭ集合が、１個のレイヤのＤＭＲＳがマッピングされる第２のＣＤＭ集合の２倍のパワーでＤＭＲＳを送信すると仮定すると、これは他のセルの同じＣＤＭ集合にマッピングされたＤＭＲＳに大きい干渉として作用することができる。また、２個の符号語（ｃｏｄｅｗｏｒｄ）が送信され、レイヤ０は第１の符号語を送信し、レイヤ１及び２は第２の符号語を送信すると仮定すると、第２の符号語を送信する２個のレイヤのＤＭＲＳが互いに異なるＣＤＭ集合にマッピングされ、これによって、セル間干渉（ｉｎｔｅｒ−ｃｅｌｌ  ｉｎｔｅｒｅｆｅｒｅｎｃｅ）またはセル内干渉（ｉｎｔｒａ−ｃｅｌｌ  ｉｎｔｅｒｆｅｒｅｎｃｅ）が発生することができる。
【００８５】
図１４−（ｂ）では、各符号語を送信するレイヤがそのまま各ＣＤＭ集合にマッピングされる。例えば、第１の符号語を送信するレイヤ０のＤＭＲＳは第１のＣＤＭ集合にマッピングされ、第２の符号語を送信するレイヤ１及び２のＤＭＲＳは第２のＣＤＭ集合にマッピングされる。これによって、ＳＩＣ（Ｓｕｃｃｅｓｓｉｖｅ  Ｉｎｔｅｒｆｅｒｅｎｃｅ  Ｃａｎｃｅｌｌａｔｉｏｎ）デコーダを使用する時、第１の符号語と関連されたチャネルがより正確に推定されることができ、端末は、一層良いチャネル推定性能を有する第１の符号語をまずデコーディングすることができる。また、２個のレイヤのＤＭＲＳがマッピングされる第２のＣＤＭ集合の上昇されたパワーも他のセルのＤＭＲＳに干渉として作用しない。
【００８６】
表１は、レイヤの個数が３個乃至８個うちいずれか一つである時、レイヤをアンテナポートにマッピングする方法の例示である。表１で、ｔｏｐは第１のＣＤＭ集合を示し、ｂｏｔｔｏｍは第２のＣＤＭ集合を示すことができる。表１は例示に過ぎず、他の組合せによってレイヤをアンテナポートにマッピングすることができる。
【００８７】
【表１】
0005417536.tif 000010
図１４−（ｃ）では、前述した２つの方法をセル特定または端末特定するように決定して適用することができる。これはセル間干渉を一層減らすためである。
【００８８】
然しながら、図１４で説明したレイヤをアンテナポートにマッピングする方法は、各レイヤのＤＭＲＳ間のパワー不均衡（ｐｏｗｅｒ  ｉｍｂａｌａｎｃｅ）によって各レイヤでの性能が変わることができ、また、特定ＣＤＭ集合に割り当てられたレイヤの連結性能が減少することができる。従って、レイヤをアンテナポートにマッピングする新たな方法が要求される。
【００８９】
図１５は、提案された発明によるレイヤ−アンテナポートマッピングの一例を示す。
【００９０】
図１５を参照すると、図１４−（ａ）及び図１４−（ｂ）で説明された２つの方法がＲＢ単位に交互に適用されることができる。即ち、３個のレイヤが２個のアンテナポートにマッピングされる場合を仮定する時、第１のＲＢでは、レイヤ０のＤＭＲＳが第１のＣＤＭ集合にマッピングされ、レイヤ１及び２のＤＭＲＳが第２のＣＤＭ集合にマッピングされ、第２のＲＢでは、レイヤ０及び１のＤＭＲＳが第１のＣＤＭ集合にマッピングされ、レイヤ２のＤＭＲＳが第２のＣＤＭ集合にマッピングされることができる。これによって、偶数個のＲＢが割り当てられる場合、各ＯＦＤＭシンボルで複数のレイヤのＤＭＲＳ間のパワーを均等に割り当てることによってパワー不均衡問題を解決することができる。然しながら、ＲＢの個数が奇数である場合には相変らずパワー不均衡問題が存在することができる。
【００９１】
一方、提案された発明によりレイヤの個数に関係無しに特定レイヤが常に同じアンテナポートにマッピングされることができる。これによって、端末が特定レイヤのチャネルを推定するためにレイヤの個数に応じて互いに異なるチャネル推定器（ｃｈａｎｎｅｌ  ｅｓｔｉｍａｔｏｒ）を使用しなくてもよい。従って、チャネル推定の複雑度（ｃｏｍｐｌｅｘｉｔｙ）を減らすことができる。
【００９２】
以下、説明される複数のレイヤが複数のアンテナポートにマッピングされる方法で、符号語−レイヤのマッピング関係は、３ＧＰＰ  ＴＳ  ３６．２１１  Ｖ９．０．０（２００９−１２）６．３．３．２節を参照することができ、また、３ＧＰＰ  ＴＳ  ３３．８１４  Ｖ１．５．０（２００９−１１）７．２節を参照することができる。
【００９３】
３ＧＰＰ  ＴＳ  ３６．２１１  Ｖ９．０．０（２００９−１２）６．３．３．２節は、空間多重化（ｓｐａｔｉａｌ  ｍｕｌｔｉｐｌｅｘｉｎｇ）でのレイヤマッピングに対して説明する。空間多重化で符号語−レイヤマッピング関係は、表２のように示すことができる。レイヤの個数は、物理チャネルの送信のために使われるアンテナポートの個数と同じ、或いは少ない。
【００９４】
【表２】
0005417536.tif 000011
３ＧＰＰ  ＴＳ  ３６．８１４  Ｖ１．５．０（２００９−１１）７．２節は、ダウンリンク空間多重化に対して説明する。ＬＴＥ−Ａで最大８個のレイヤに対するダウンリンク空間多重化がサポートされることができる。８個のレイヤを複数のユーザに割り当てる空間多重化において、最大２個のトランスポートブロック（ｔｒａｎｓｐｏｒｔ  ｂｌｏｃｋ）がダウンリンクコンポーネント搬送波（ＣＣ；Ｃｏｍｐｏｎｅｎｔ  Ｃａｒｒｉｅｒ）当たりサブフレームでスケジューリングされた端末に送信されることができる。各トランスポートブロックは、各々の互いに異なる変調及びコーディング方式（ＭＣＳ；Ｍｏｄｕｌａｔｉｏｎ  ａｎｄ  Ｃｏｄｉｎｇ  Ｓｃｈｅｍｅ）により割り当てられることができる。アップリンクでのＨＡＲＱ（Ｈｙｂｒｉｄ  Ａｕｔｏｍａｔｉｃ  Ｒｅｐｅａｔ  ｒｅｑｕｅｓｔ）フィードバックのために各トランスポートブロックの１ビットが使われることができる。トランスポートブロックは符号語と連結される。最大４個のレイヤに対し、符号語−レイヤマッピングは、表２のように示すことができる。一つの符号語を３個または４個のレイヤにマッピングしたり、レイヤの個数が４個以上である場合の符号語−レイヤマッピングは、表３のように示すことができる。一つの符号語が３個または４個のレイヤにマッピングされる場合は４個以上のレイヤを介して送信された２個の符号語うち一つの符号語が再送信（ｒｅｔｒａｎｓｍｉｓｓｉｏｎ）される場合である。表３によると、、符号語ｑの複素変調シンボルであるｄ（ｑ）（０），．．．，ｄ（ｑ）（Ｍｓｙｍｂ（ｑ）−１）はレイヤｘ（ｉ）＝［ｘ（０）（ｉ）…ｘ（ν−１）（ｉ）］Ｔでマッピングされる。ｉ＝０，１，．．．，Ｍｓｙｍｂｌａｙｅｒ−１、νはレイヤの個数、Ｍｓｙｍｂｌａｙｅｒはレイヤ当たり変調シンボルの個数である。
【００９５】
【表３−１】
0005417536.tif 000012
【００９６】
【表３−２】
0005417536.tif 000013
図１６は、提案された発明によるレイヤ−アンテナポートマッピングの他の例を示す。
【００９７】
図１６は、符号語の個数が１個である時のレイヤ−アンテナポートマッピングを示す。図１６−（ａ）で、レイヤの個数は１個であり、レイヤ０は第１のＣＤＭ集合に含まれるアンテナポート７にマッピングされる。図１６−（ｂ）で、レイヤの個数は２個であり、レイヤ０及び１は第１のＣＤＭ集合に含まれるアンテナポート７及び８に各々マッピングされる。図１６−（ｃ）で、レイヤの個数は３個であり、レイヤ０及び１は第１のＣＤＭ集合に含まれるアンテナポート７及び８に各々マッピングされ、レイヤ２は第２のＣＤＭ集合に含まれるアンテナポート９にマッピングされる。図１６−（ｄ）で、レイヤの個数は４個であり、レイヤ０及び１は第１のＣＤＭ集合に含まれるアンテナポート７及び８に各々マッピングされ、レイヤ２及び３は第２のＣＤＭ集合に含まれるアンテナポート９及び１０に各々マッピングされる。
【００９８】
図１７乃至図２１は、提案された発明によるレイヤ−アンテナポートマッピングの他の例を示す。図１７乃至図２１は、符号語の個数が２個である時のレイヤ−アンテナポートマッピングを示す。
【００９９】
図１７で、レイヤの個数は４個である。第１のＣＤＭ集合はアンテナポート７及び８を含み、第２のＣＤＭ集合はアンテナポート９及び１０を含む。レイヤ０及び１はアンテナポート７及び８に各々マッピングされ、レイヤ２及び３はアンテナポート９及び１０に各々マッピングされる。
【０１００】
図１８で、レイヤの個数は５個である。第１のＣＤＭ集合はアンテナポート７、８及び１１を含み、第２のＣＤＭ集合はアンテナポート９、１０及び１２を含む。図１７と同様に、レイヤ０及び１はアンテナポート７及び８に各々マッピングされ、レイヤ２及び３はアンテナポート９及び１０に各々マッピングされる。図１７に対して新たに追加されるレイヤ４は、第１のＣＤＭ集合に含まれるアンテナポートまたは第２のＣＤＭ集合に含まれるアンテナポートにマッピングされることができる。図１８−（ａ）で、レイヤ４はアンテナポート１１にマッピングされ、図１８−（ｂ）で、レイヤ４はアンテナポート１２にマッピングされる。これによって、各ＣＤＭ集合にマッピングされるアンテナポートが維持されることができ、レイヤの個数が４個である場合で使用するレイヤインデックス０からレイヤインデックス３までに対して各ＣＤＭ集合にマッピングされたレイヤのインデックスが維持されることができるため、レイヤの個数に関係なしにチャネル推定時に同じチャネル推定器を使用することができるという長所がある。
【０１０１】
図１９で、レイヤの個数は６個である。図１８と同様に、第１のＣＤＭ集合はアンテナポート７、８及び１１を含み、第２のＣＤＭ集合はアンテナポート９、１０及び１２を含む。図１９−（ａ）で、図１８−（ａ）と同様に、レイヤ０、１及び４はアンテナポート７、８及び１１に各々マッピングされ、レイヤ２及び３はアンテナポート９及び１０に各々マッピングされる。図１８−（ａ）に対して新たに追加されるレイヤ５はアンテナポート１２にマッピングされる。これによって、各ＣＤＭ集合にマッピングされるアンテナポートが維持されるだけでなく、各レイヤがマッピングされるアンテナポートもそのまま維持される。図１９−（ｂ）で、レイヤ０乃至２はアンテナポート７、８及び１１に各々マッピングされ、レイヤ３乃至５はアンテナポート９、１０及び１２に各々マッピングされる。これによって、各ＣＤＭ集合にマッピングされるアンテナポートが維持される。
【０１０２】
図２０で、レイヤの個数は７個である。第１のＣＤＭ集合はアンテナポート７、８、１１及び１３を含み、第２のＣＤＭ集合はアンテナポート９、１０、１２及び１４を含む。まず、図２０−（ａ）と図２０−（ｂ）を説明すると、図１９−（ａ）と同様に、レイヤ０、１及び４はアンテナポート７、８及び１１に各々マッピングされ、レイヤ２、３及び５はアンテナポート９、１０及び１２に各々マッピングされる。図１９−（ａ）に対して新たに追加されるレイヤ６は第１のＣＤＭ集合に含まれるアンテナポートまたは第２のＣＤＭ集合に含まれるアンテナポートにマッピングされることができる。図２０−（ａ）で、レイヤ６はアンテナポート１３にマッピングされ、図２０−（ｂ）で、レイヤ６はアンテナポート１２にマッピングされる。これによって、各ＣＤＭ集合にマッピングされるアンテナポートが維持されるだけでなく、各レイヤがマッピングされるアンテナポートもそのまま維持される。図２０−（ｃ）で、レイヤ０、１及び２はアンテナポート７、８及び１１に各々マッピングされ、レイヤ３乃至６はアンテナポート９、１０、１２及び１４に各々マッピングされる。これによって、各ＣＤＭ集合にマッピングされるアンテナポートが維持される。
【０１０３】
図２１で、レイヤの個数は８個である。図２０と同様に、第１のＣＤＭ集合はアンテナポート７、８、１１及び１３を含み、第２のＣＤＭ集合はアンテナポート９、１０、１２及び１４を含む。図２１−（ａ）で、図１９−（ａ）と同様に、レイヤ０、１、４及び６はアンテナポート７、８、１１及び１３に各々マッピングされ、レイヤ２、３、５及び７はアンテナポート９、１０、１２及び１４に各々マッピングされる。図２０−（ａ）に対して新たに追加されるレイヤ７はアンテナポート１４にマッピングされる。これによって、各ＣＤＭ集合にマッピングされるアンテナポートが維持されるだけでなく、各レイヤがマッピングされるアンテナポートもそのまま維持される。図２１−（ｂ）で、レイヤ０乃至３はアンテナポート７、８、１１及び１３に各々マッピングされ、レイヤ４乃至７はアンテナポート９、１０、１２及び１４に各々マッピングされる。これによって、各ＣＤＭ集合にマッピングされるアンテナポートが維持される。
【０１０４】
提案された発明を介してレイヤの個数が偶数である場合、アンテナポート−ＣＤＭ集合マッピングまたはレイヤ−ＣＤＭ集合マッピング時、各ＯＦＤＭシンボルで複数のレイヤのＤＭＲＳ間のパワー不均衡問題を解決することができる。レイヤの個数が奇数である場合には、提案された発明を適用すると同時にパワーが不均衡なレイヤのＤＭＲＳ間のパワーを調節するためにレイヤ間にパワーオフセット（ｐｏｗｅｒ  ｏｆｆｓｅｔ）を有するようにすることができる。この時、各レイヤのＤＭＲＳに割り当てられるパワーは、データに割り当てられるパワーでなく、一つのＯＦＤＭシンボルに基づいてデータに割り当てられる一つのＲＥのパワーと同じに分配されることができる。従って、レイヤの個数が奇数である場合にも複数のレイヤのＤＭＲＳ間のパワー不均衡問題を解決することができる。
【０１０５】
図２２は、提案された複数のレイヤを複数のアンテナポートにマッピングする方法の一実施例を示す。
【０１０６】
ステップＳ１００で、基地局は複数のレイヤを複数のアンテナポートに各々マッピングする。ステップＳ１１０で、基地局は前記複数のレイヤのＤＭＲＳを各々マッピングされたアンテナポートを介して送信する。
【０１０７】
図２３は、本発明の実施例が具現される基地局及び端末のブロック図である。
【０１０８】
基地局８００は、プロセッサ（ｐｒｏｃｅｓｓｏｒ）８１０、メモリ（ｍｅｍｏｒｙ）８２０、及びＲＦ部（Ｒａｄｉｏ  Ｆｒｅｑｕｅｎｃｙ  ｕｎｉｔ）８３０を含む。プロセッサ８１０は、提案された機能、過程及び／または方法を具現する。プロセッサ８１０は、複数のレイヤを複数のアンテナポートに各々マッピングし、前記複数のレイヤのＤＭＲＳを第１のＣＤＭ集合または第２のＣＤＭ集合にマッピングする。無線インターフェースプロトコルの階層は、プロセッサ８１０により具現されることができる。メモリ８２０は、プロセッサ８１０と連結され、プロセッサ８１０を駆動するための多様な情報を格納する。ＲＦ部８３０は、プロセッサ８１０と連結され、前記ＤＭＲＳを前記複数のアンテナポートを介して送信する。
【０１０９】
端末９００は、プロセッサ９１０、メモリ９２０、及びＲＦ部９３０を含む。ＲＦ部９３０は、プロセッサ９１０と連結され、無線信号を送信及び／または受信する。プロセッサ９１０は、提案された機能、過程及び／または方法を具現する。無線インターフェースプロトコルの階層は、プロセッサ９１０により具現されることができる。メモリ９２０は、プロセッサ９１０と連結され、プロセッサ９１０を駆動するための多様な情報を格納する。
【０１１０】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部８３０、９３０は、無線信号を処理するためのベースバンド回路を含むことができる。実施例がソフトウェアで具現される時、前述した技法は前述した機能を遂行するモジュール（過程、機能など）で具現されることができる。モジュールは、メモリ８２０、９２０に格納され、プロセッサ８１０、９１０により実行されることができる。メモリ８２０、９２０は、プロセッサ８１０、９１０の内部または外部にあり、よく知られた多様な手段でプロセッサ８１０、９１０と連結されることができる。前述した例示的なシステムで、方法は一連のステップまたはブロックで順序図に基づいて説明されているが、本発明は、ステップの順序に限定されるものではなく、あるステップは前述と異なるステップと異なる順序にまたは同時に発生することができる。また、当業者であれば、順序図に示すステップが排他的でなく、他のステップが含まれたり、順序図の一つまたはその以上のステップが本発明の範囲に影響を及ぼさずに削除可能であることを理解することができる。
【０１１１】
前述した実施例は、多様な態様の例示を含む。多様な態様を示すための全ての可能な組合せを記述することはできないが、該当技術分野の通常の知識を有する者は、他の組合せが可能であることを認識することができる。従って、本発明は、特許請求の範囲内に属する全ての交替、修正及び変更を含む。
【図１】
0005417536.tif 000014
【図２】
0005417536.tif 000015
【図３】
0005417536.tif 000016
【図４】
0005417536.tif 000017
【図５】
0005417536.tif 000018
【図６】
0005417536.tif 000019
【図７】
0005417536.tif 000020
【図８】
0005417536.tif 000021
【図９】
0005417536.tif 000022
【図１０】
0005417536.tif 000023
【図１１】
0005417536.tif 000024
【図１２】
0005417536.tif 000025
【図１３】
0005417536.tif 000026
【図１４】
0005417536.tif 000027
【図１５】
0005417536.tif 000028
【図１６】
0005417536.tif 000029
【図１７】
0005417536.tif 000030
【図１８】
0005417536.tif 000031
【図１９】
0005417536.tif 000032
【図２０】
0005417536.tif 000033
【図２１】
0005417536.tif 000034
【図２２】
0005417536.tif 000035
【図２３】
0005417536.tif 000036